(57)【要約】      （修正有）【課題】ｗｅｂページの訪問者がバナー広告をクリックしなくとも、異なるジャンルの多数の商品をｗｅｂページの限定されたスペースで表示できるようにしたインターネット広告システムを提供する。【解決手段】ユーザ端末３０がサーバ２０のｗｅｂサイトにアクセスしたときに動画ファイルを読み出してユーザ端末に出力し、ユーザ端末では入力された動画ファイルを実行することによって閲覧中のｗｅｂページの所定の領域内に、連続してスクロールされる複数の商品画像を表示する。スクロールしている商品画像上にマウスポインターが位置されると、商品画像のスクロールを停止させ、当該商品画像の説明情報をサーバからユーザ端末に与え、商品説明を表示させる一方、停止している商品画像からマウスポインターが外れたときに商品画像のスクロールを再開させる。【選択図】図２
2011175312.tif 000002
【特許請求の範囲】
【請求項１】
サーバとユーザ端末とから構成され、ユーザ端末がサーバのｗｅｂサイトにアクセスしたときに、多数の商品に関する広告を有するｗｅｂページをユーザー端末に表示させるインターネット広告システムにおいて、
サーバに設けられ、複数の商品画像が連続してスクロールする動画ファイルを記憶する動画ファイル記憶手段と、
サーバに設けられ、商品の説明情報を記憶する説明情報記憶手段と、
サーバに設けられ、ユーザ端末がサーバのｗｅｂサイトにアクセスしたときに上記動画ファイル記憶手段から動画ファイルを読み出してユーザ端末に出力する動画ファイル読出手段と、
ユーザ端末に設けられ、入力された動画ファイルを実行することによって閲覧中のｗｅｂページの所定の領域内に、連続してスクロールされる複数の商品画像を表示する動画再生手段と、
ユーザ端末に設けられ、スクロールしている商品画像上にマウスポインターが位置されたときに商品画像のスクロールを停止させるスクロール停止手段と、
サーバに設けられ、上記マウスポインターが位置された商品画像の説明情報を上記説明情報記憶手段から読み出してユーザ端末に与える説明情報読出手段と、
ユーザ端末に設けられ、上記読み出された説明情報を表示する商品説明表示手段と、
ユーザ端末に設けられ、停止している商品画像からマウスポインターが外れたときに商品画像のスクロールを再開させるスクロール再開手段と、
を備えたことを特徴とするインターネット広告システム。
【請求項２】
上記動画ファイル記憶手段は、複数の商品画像が多段にかつ各段毎に異なる速度で連続してスクロールする動画ファイルを記憶している請求項１記載のインターネット広告システム。
【請求項３】
上記商品説明表示手段は、説明情報を上記マウスポインターが位置された商品画像上に表示するようになっている請求項１記載のインターネット広告システム。
【請求項４】
サーバに設けられ、商品情報を記憶する商品情報記憶手段と、
ユーザ端末に設けられ、停止している商品画像上にマウスポインターが位置された状態でマウスがクリックされたときにサーバに当該商品の商品情報を要求する商品情報要求手段と、
サーバに設けられ、商品情報の要求を受けて上記商品情報記憶手段から商品情報を読み出してユーザ端末に出力する商品情報読出手段と、
ユーザ端末に設けられ、入力された商品情報を表示する商品情報表示手段と、
を更に備えた請求項１記載のインターネット広告システム。
【請求項５】
ユーザ端末がｗｅｂサイトにアクセスしたときに、多数の商品に関する広告を有するｗｅｂページをユーザー端末に表示させるインターネット広告サーバであって、
複数の商品画像が連続してスクロールする動画ファイルを記憶する動画ファイル記憶手段と、
商品の説明情報を記憶する説明情報記憶手段と、
ユーザ端末がｗｅｂサイトにアクセスしたときに上記動画ファイル記憶手段から動画ファイルを読み出してユーザ端末に出力する動画ファイル読出手段と、
ユーザ端末で上記動画ファイルが実行されることによって閲覧中のｗｅｂページの所定の領域内に、連続してスクロールされる複数の商品画像が表示されスクロールしている商品画像上にマウスポインターが位置されて商品画像のスクロールが停止されたときにマウスポインターが位置された商品画像の説明情報を上記説明情報記憶手段から読み出してユーザ端末に与える説明情報読出手段と、
を備えたことを特徴とするインターネット広告サーバ。
【請求項６】
商品情報を記憶する商品情報記憶手段と、
ユーザ端末からの商品情報の要求を受けて上記商品情報記憶手段から商品情報を読み出してユーザ端末に出力する商品情報読出手段と、
を更に備えた請求項５記載のインターネット広告サーバ。
【発明の詳細な説明】
【技術分野】
【０００１】
本発明はインターネット広告システムに関し、特にｗｅｂページの訪問者がバナー広告をクリックしなくとも、異なるジャンルの多数の商品をｗｅｂページの限定されたスペースで表示できるようにしたシステムに関する。
【背景技術】
【０００２】
近年、インターネット環境の急速な普及に伴い、Ｗｅｂコンテンツに連動したインターネット広告が広く活用される傾向にある。
【０００３】
例えば、ｗｅｂページ内にテキストや画像などによってリンク先の広告を表示し、ユーザがその広告にマウスポインターを合わせてクリックすると、ユーザをリンク先サイトに誘導するようにしたバナー広告が知られている（特許文献１）。
【先行技術文献】
【特許文献】
【０００４】
【特許文献１】特開２００９−１３０５０４号公報
【特許文献２】特開２００５−２４２７１１号公報
【発明の開示】
【発明が解決しようとする課題】
【０００５】
しかし、従来のバナー広告では広告にマウスポインターを位置させてクリックすると、リンク先のサイトにジャンプするので、多数の商品、特にｗｅｂページの訪問者がジャンルの異なる多数の商品を同時に閲覧することができない。
【０００６】
本発明はかかる問題点に鑑み、ｗｅｂページの訪問者がバナー広告をクリックしなくとも、異なるジャンルの多数の商品をｗｅｂページの限定されたスペースで表示できるようにしたインターネット広告システムを提供することを課題とする。
【課題を解決するための手段】
【０００７】
そこで、本発明に係るインターネット広告システムは、サーバとユーザ端末とから構成され、ユーザ端末がサーバのｗｅｂサイトにアクセスしたときに、多数の商品に関する広告を有するｗｅｂページをユーザー端末に表示させるインターネット広告システムにおいて、サーバに設けられ、複数の商品画像が連続して同一方向にスクロールする動画ファイルを記憶する動画ファイル記憶手段と、サーバに設けられ、商品の説明情報を記憶する説明情報記憶手段と、サーバに設けられ、ユーザ端末がサーバのｗｅｂサイトにアクセスしたときに上記動画ファイル記憶手段から動画ファイルを読み出してユーザ端末に出力する動画ファイル読出手段と、ユーザ端末に設けられ、入力された動画ファイルを実行することによって閲覧中のｗｅｂページの所定の領域内に、連続して同一方向にスクロールされる複数の商品画像を表示する動画再生手段と、ユーザ端末に設けられ、スクロールしている商品画像上にマウスポインターが位置されたときに商品画像のスクロールを停止させるスクロール停止手段と、サーバに設けられ、上記マウスポインターが位置された商品画像の説明情報を上記説明情報記憶手段から読み出してユーザ端末に与える説明情報読出手段と、ユーザ端末に設けられ、上記読み出された説明情報を表示する商品説明表示手段と、ユーザ端末に設けられ、停止している商品画像からマウスポインターが外れたときに商品画像のスクロールを再開させるスクロール再開手段と、を備えたことを特徴とする。
【０００８】
本発明の特徴の１つはユーザがアクセスしたｗｅｂページの所定の領域に、複数の商品画像を同一方向に連続的にスクロールさせながら表示するようにした点にある。
【０００９】
人間は移動するものを目で追いかけるという特性を有しているので、ｗｅｂページ上で多数の商品画像が同一方向に連続的にスクロールされながら表示されると、ユーザは商品画像を目で追いかけて多数の商品画像を次々と認識することができる。
【００１０】
また、バナー広告のように、接続サイトをジャンプすることがないので、多数の商品、特にジャンルの異なる多数の商品をｗｅｂページ上で同時に広告することができる。
【００１１】
また、人間は視線が分散すると、より多くのものが目に入るという特性を有する。そこで、動画ファイル記憶手段が、複数の商品画像を多段にかつ各段毎に異なる速度で連続的にスクロールする動画ファイルを記憶し、ｗｅｂページの所定の領域内に、複数の商品画像を多段にかつ各段毎に異なる速度でスクロールさせながら表示するのがよい。
【００１２】
なお、複数の商品画像を多列にかつ各段毎に異なる速度で連続的にスクロールさせることもできるが、上下に視線を動かすのは左右に視線を動かす場合に比して目が疲労しやすいので、複数の商品画像を多段に表示するようにしている。
【００１３】
商品説明はｗｅｂページのいずれかの場所に表示すればよいが、マウスポインターが位置された商品画像上に表示すると、商品説明が商品画像と関連して表示されるので、商品の説明、例えば商品に関するコメントなどを理解しやすい。
【００１４】
商品画像上にマウスポインターを位置させた状態でマウスをクリックすると、商品情報、例えば拡大した商品画像、商品名、価格、商品の特性、購入カートを表示できると、商品を更に理解でき、商品の購入が容易となる。
【００１５】
そこで、サーバに設けられ、商品情報を記憶する商品情報記憶手段と、ユーザ端末に設けられ、停止している商品画像上にマウスポインターが位置された状態でマウスがクリックされたときにサーバに当該商品の商品情報を要求する商品情報要求手段と、サーバに設けられ、商品情報の要求を受けて上記商品情報記憶手段から商品情報を読み出してユーザ端末に出力する商品情報読出手段と、ユーザ端末に設けられ、入力された商品情報を表示する商品情報表示手段と、を更に備えるのがよい。
【００１６】
また、本発明に係るインターネット広告サーバは、ユーザ端末がｗｅｂサイトにアクセスしたときに、多数の商品に関する広告を有するｗｅｂページをユーザー端末に表示させるインターネット広告サーバであって、複数の商品画像が連続してスクロールする動画ファイルを記憶する動画ファイル記憶手段と、商品の説明情報を記憶する説明情報記憶手段と、ユーザ端末がｗｅｂサイトにアクセスしたときに上記動画ファイル記憶手段から動画ファイルを読み出してユーザ端末に出力する動画ファイル読出手段と、ユーザ端末で上記動画ファイルが実行されることによって閲覧中のｗｅｂページの所定の領域内に、連続してスクロールされる複数の商品画像が表示されスクロールしている商品画像上にマウスポインターが位置されて商品画像のスクロールが停止されたときにマウスポインターが位置された商品画像の説明情報を上記説明情報記憶手段から読み出してユーザ端末に与える説明情報読出手段と、を備えたことを特徴とする。
【００１７】
上述のインターネット広告サーバにおいても、商品情報を記憶する商品情報記憶手段と、ユーザ端末からの商品情報の要求を受けて上記商品情報記憶手段から商品情報を読み出してユーザ端末に出力する商品情報読出手段と、を更に備えるのが好ましい。
【図面の簡単な説明】
【００１８】
【図１】本発明に係るインターネット広告システムの好ましい実施形態を示す概略構成図である。
【図２】上記実施形態における機能ブロックを示す図である。
【図３】上記実施形態における処理のフローを示す図である。
【図４】上記実施形態におけるｗｅｂページの１例を示す図である。
【図５】上記ｗｅｂページにおいて商品説明が表示された状態を示す図である。
【図６】上記実施形態において商品情報が表示された状態を示す図である。
【発明を実施するための形態】
【００１９】
以下、本発明を図面に示す具体例に基づいて詳細に説明する。図１ないし図６は本発明に係るインターネット広告システムの好ましい実施形態を示す。インターネット広告システム１０は図１に示されるように、インターネット広告サーバ２０、ユーザ端末３０及びインターネット回線４０によって構成されている。
【００２０】
サーバ２０は演算処理装置（ＣＰＵ）、ＲＡＭやＲＯＭなどのメモリ、ハードディスクドライブなどの記憶装置及び通信装置から構成され、機能的には図２に示されるように、動画ファイル記憶手段２１、説明情報記憶手段２２、動画ファイル読出手段２３、説明情報読出手段２４、商品情報記憶手段２５及び商品情報読出手段２６の各機能を実行するようになっている。
【００２１】
ユーザ端末３０はＣＰＵ、ＲＡＭやＲＯＭなどのメモリ、ハードディスクドライブなどの記憶装置、通信装置及びディスプレイによって構成され、機能的には図２に示されるように、動画再生手段３１、スクロール停止手段３２、商品説明表示手段３３、スクロール再開手段３４、商品情報要求手段３５及び商品情報表示手段３６の各機能を実行するようになっている。
【００２２】
動画ファイル記憶手段２１は複数の商品画像が２段にかつ各段毎に異なる速度で連続してスクロールする動画ファイルを記憶し、説明情報記憶手段２２は商品の説明情報、例えば「商品に関する一言コメント」を複数の各商品に対応して記憶し、商品情報記憶手段２５は商品情報、例えば「拡大画像」、「商品名」、「商品の特徴」、「価格」、「購入カート」などを複数の商品に対応して記憶している。
【００２３】
動画ファイル読出手段２３はユーザ端末３０がサーバ２０のｗｅｂサイトにアクセスしたときに動画ファイル記憶手段２１から動画ファイルを読み出してユーザ端末３０に出力し、説明情報読出手段２４はユーザ端末３０のディスプレイに表示されたｗｅｂページ中の、２段にかつ各段毎に異なる速度で連続してスクロールする複数の商品画像上にマウスポインターが位置されたときに、当該商品画像の説明情報を説明情報記憶手段２２から読み出してユーザ端末３０に与えるようになっている。また、商品情報読出手段２６はユーザ端末３０からの商品情報の要求を受けて商品情報記憶手段２５から商品情報を読み出してユーザ端末３０に出力するようになっている。
【００２４】
動画再生手段３１はサーバ２０から入力された動画ファイルを実行することによって閲覧中のｗｅｂページの所定の領域内に、横方向に連続してスクロールされる複数の商品画像を表示し、スクロール停止手段３２はスクロールしている商品画像上にマウスポインターが位置されたときに商品画像のスクロールを停止させるようになっている。
【００２５】
商品説明表示手段３３はサーバ２０から入力された説明情報を表示し、スクロール再開手段３４はスクロールを停止している商品画像からマウスポインターが外れたときに商品画像のスクロールを再開させるようになっている。商品情報要求手段３５は停止している商品画像上にマウスポインターが位置された状態でマウスがクリックされたときにサーバ２０に当該商品の商品情報を要求し、商品情報表示手段３６はサーバ２０から入力された商品情報を表示するようになっている。
【００２６】
ユーザがユーザ端末３０を操作し、ＵＲＬを指定してインターネット広告サーバ２０にアクセスすると（ステップＳ３１）、サーバ２０では記憶装置からｗｅｂページの情報が読み出されてユーザ端末３０に出力される（ステップＳ２１）。ｗｅｂページの情報には動画ファイル、例えばＦｌａｓｈムービーファイルが含まれ、この動画ファイルには動画のソースデータが含まれるとともに、マウスポインターの位置情報やマウスクリックの情報をサーバ２０に送信しユーザ端末３０からサーバ２０に情報の送信を要求するなどのプログラムが含まれている。
【００２７】
ユーザ端末３０ではｗｅｂページの情報を受けると、ディスプレイに例えば図４に示されるようなｗｅｂページを表示する（ステップＳ３２）。また、ユーザ端末３０では予めインストールされていた動画再生ソフトが動画ファイル中のソースデータを再生し、ｗｅｂページには所定の領域５０に、複数の商品画像を上下２段に、かつ横方向に連続して上下の段で異なる速度で、例えば上段で速く下段で遅くスクロールさせながら表示する。
【００２８】
ユーザがユーザ端末３０のマウスを操作し、マウスポインターを望みの商品画像、例えば上段の商品「ファイル」の画像５１の上に移動させると、上段のスクロールが停止され、商品「ファイル」の商品説明の要求がサーバ２０に送信され、サーバ２０では記憶装置から商品「ファイル」の説明情報を読み出してユーザ端末３０に送信し（ステップＳ２２）、ユーザ端末３０では説明情報を受信すると、図５に示されるように、ｗｅｂページの上段の商品画像群のなかの、マウスポインターが位置している商品「ファイル」の画像の上に商品説明５２を表示する（ステップＳ３４）。
【００２９】
ユーザが商品説明を読んで商品の詳細を知りたい場合、マウスポインターを商品画像の上に位置させたままでマウスをクリックすると（ステップＳ３５）、サーバ２０に商品情報が要求され、サーバ２０では記憶装置から対応商品の情報が読み出されてユーザ端末３０に送信され（ステップＳ２３）、ユーザ端末３０ではディスプレイに商品情報のページが表示される（ステップＳ３６）。この商品情報のページは例えば図６に示されるように、商品「ファイル」の拡大画像、商品名「ファイル」、価格「９８円から」、商品の特徴「穴をあけるタイプ」、「購入カート」などが含まれており、ユーザがその商品の購入を希望する場合に「購入カート」を用いて通販によって購入することができる。
【００３０】
また、ユーザがマウスを操作してマウスポインターをスクロールを停止していた商品「ファイル」の画像の上から移動させると（ステップＳ３７）、ユーザ端末３０は上段のスクロールを再開する（ステップＳ３８）。
【００３１】
上段の他の商品画像及び下段の商品画像についても同様の操作によって商品説明を表示させ、商品情報のページを表示させ、通販によって購入することができる。
【００３２】
なお、上記の例では商品情報のページを表示させて通販で購入できるようにしたが、広告だけのページとしてもよく、商品情報のページは必ずしも設けなくてもよい。
【符号の説明】
【００３３】
１０      インターネット広告システム
２０      インターネット広告サーバ
２１      動画ファイル記憶手段
２２      説明情報記憶手段
２３      動画ファイル読出手段
２４      説明情報読出手段
２５      商品情報記憶手段
２６      商品情報読出手段
３０      ユーザ端末
３１      動画再生手段
３２      スクロール停止手段
３３      商品説明表示手段
３４      スクロール再開手段
３５      商品情報要求手段
３６      商品情報表示手段
４０      インターネット回線
【図１】
2011175312.tif 000003
【図２】
2011175312.tif 000004
【図３】
2011175312.tif 000005
【図４】
2011175312.tif 000006
【図５】
2011175312.tif 000007
【図６】
2011175312.tif 000008